(57)【要約】【課題】防災倉庫内にスペースを取ることなく容易に収納可能であって、かつ災害時には簡単に簡易トイレとして組み立てることができ、しかも安全、快適に使用することのできる、簡易トイレ用便座を提供する。【解決手段】中央に長孔３を有する板２からなる簡易トイレ用便座１であって、前記板２は、前記長孔３の軸線Ｌ方向の一端側５ａに位置する両側部４ａ，４ｂが、該一端側５ａに向かって先細りするように切り欠かれている、簡易トイレ用便座１。【選択図】図１
0003133390.tif 000002
【実用新案登録請求の範囲】
【請求項１】
中央に長孔を有する板からなる簡易トイレ用便座であって、前記板は、前記長孔の軸線方向の一端側に位置する両側部が、該一端側に向かって先細りするように切り欠かれていることを特徴とする、前記簡易トイレ用便座。
【請求項２】
前記長孔の前記一端側の幅に比べて、他端側の幅がより広くなっていることを特徴とする、請求項１に記載の簡易トイレ用便座。
【請求項３】
前記板が厚さ方向に積み重ね可能な形状を有することを特徴とする、請求項１又は２に記載の簡易トイレ用便座。
【考案の詳細な説明】
【技術分野】
【０００１】
本考案は、簡易トイレ用便座に関するものである。特に、本考案は、震災等の災害時に備えて保管するのが容易である一方、災害時には簡単に、かつ安全、快適に使用することのできる簡易トイレとして組み立てることができる、簡易トイレ用便座に関するものである。
【背景技術】
【０００２】
震災や台風、津波等の災害時には、避難先や仮設住居などにおけるトイレの確保が重大な問題となり得る。例えば、公民館や体育館等の避難所は、通常トイレを備えてはいるが、災害によって送電線や下水道などのライフラインが被害を受け、停電や断水によってトイレが使用不能となる可能性がある。また、テントなどの仮設住居で生活している間に利用可能なトイレの数には限りがある。
【０００３】
災害時に使用することのできる簡易トイレとしては、従来、紙製の組立式簡易便器、便座にパイプ製の脚部とポリ袋を取り付けたポータブルトイレ等が提案されている。
例えば、特開２００６−３３４３３７号公報には、排泄物を収納する取っ手とミミをもつ形状の袋を排泄袋とし、内側周縁に複数の袋留め切り込みＧスリットを有する開口部を中央に具え、袋留めを目的とした複数の切り込みポイントを有する、台座上部に設置される周面部を具え、袋開口部周縁が内縁円周に開口のまま固定でき、使用後は袋を簡単に取り外せる手段を組み合わせた緊急時汎用式簡易便座板トイレセットが開示されている。
【０００４】
しかしながら、従来の簡易トイレは様々な部分や部品からなるものが多いため、災害時の消火・救出や応急活動に必要な資器材を格納すべき防災倉庫内に、複数個を例えば収容するのに不適当なサイズのものが少なくなく、また組立ても容易ではないといった問題があった。
さらに、従来の簡易トイレは、使用の際の強度や安定性といった安全面を重視するあまり、トイレを使用する者の使用感を無視した形状、構造のものが多く、安全性と快適性とを両立させたものは得られていないのが現状である。
【０００５】
【特許文献１】特開２００６−３３４３３７号公報
【考案の開示】
【考案が解決しようとする課題】
【０００６】
したがって、本考案は、防災倉庫内にスペースを取ることなく収納可能であって、かつ災害時には簡単に簡易トイレとして組み立てることができ、しかも安全、快適に使用することのできる、簡易トイレ用便座を提供することを目的とするものである。
【課題を解決するための手段】
【０００７】
上記課題を解決するにあたり、本考案者は、鋭意工夫した結果、防災倉庫内には通常、ポリバケツや、ビニールなどのプラスチック製のゴミ袋などが備えられていることに着目し、これらと併用することによって容易に安全かつ快適に使用することのできる簡易トイレを組み立てることができ、しかも収納にスペースを要しないものとして、中央に設けられた長孔と、先細りするように切り欠かれた両側部とを有する板からなる簡易トイレ用便座を採用することに思い至った。
【０００８】
本考案者は、このような知見に基づき、本考案に到ったものである。
【０００９】
すなわち、本考案は、中央に長孔を有する板からなる簡易トイレ用便座であって、前記板は、前記長孔の軸線Ｌ方向の一端側に位置する両側部が、該一端側に向かって先細りするように切り欠かれている、簡易トイレ用便座を提供する。
【００１０】
１つの観点において、本考案は、上記のような簡易トイレ用便座であって、長孔の一端側の幅に比べて、他端側の幅がより広くなっているものを提供する。
【００１１】
他の観点において、本考案は、上記のような簡易トイレ用便座であって、板が厚さ方向に積み重ね可能な形状を有するものを提供する。
【考案の効果】
【００１２】
本考案によれば、簡易トイレ用便座を板からなるものとしているため、スペースを取ることなく防災倉庫内に収納することができ、しかも必要によりゴミ袋を被せたポリバケツに載せるだけで、極めて容易に簡易トイレを形成することができる。
また、本考案による簡易トイレ用便座は、その両側部が先細りするように切り欠かれているため、簡易トイレを使用する際に、切り欠かれた両側部に使用者の両足が当たるように便座に腰かければ、楽な姿勢で使用することができ、しかもポリバケツに載せた便座の安定性を担保することができる。
【考案を実施するための最良の形態】
【００１３】
本考案による簡易トイレ用便座の平面図を、図１に示す。
図１において、簡易トイレ用便座１は、板２からなっている。板２の中央には、長孔３が設けられている。板２の側部のうち、長孔３の軸線Ｌ方向の一端側５ａに位置する両側部４ａ，４ｂは、一端側５ａに向かって先細りするように切り欠かれている。
【００１４】
板２の材質としては、アルミ板のような金属板、プラスチック板、ベニヤ板等様々なものを使用することができるが、複両面ダンボールのように十分な強度を有するものであれば、ダンボールを使用することもできる。板２の材質としてダンボールを使用すれば、打ち抜き加工により、長孔３を設けた簡易トイレ用便座１を大量に製造することが可能となる。
【００１５】
板２の中央に設けられた長孔３の形状及び寸法は、通常のトイレに使用されている便座の内周の形状及び寸法と同様のものとすることができる。便座に腰かけて使用する際の機能及び使用感に鑑みれば、長孔３の一端５ａ側の幅に比べて、他端５ｂ側の幅がより広くなっているのが望ましい。長孔３の形状を、その幅が一端５ａから他端５ｂに向かって、途中で一度狭くなりその後大きく広がるようなひょうたん様のものとすることもできる。
【００１６】
板２の側部は、長孔３の軸線Ｌ方向の一端側５ａに位置する両側部４ａ，４ｂを、両側部４ａ，４ｂの各々に、簡易トイレ用便座１に腰かけた使用者の右左それぞれの足が当たるように、一端側５ａに向かって先細りするように切り欠く。本考案による簡易トイレ用便座１をポリバケツ等に載せて使用する際の安定性の観点からは、切り欠いた両側部４ａ，４ｂを含む板２の外周と長孔３との間に規定される面の大部分が、簡易トイレ用便座１をポリバケツ等に載せた際にポリバケツの口と重なることができるようにするのが望ましい。
【００１７】
板２の全体形状は、板２が厚さ方向に積み重ね可能なものとするのが望ましい。すなわち、２つの板２を重ね合わせた場合、下方にある板２の上面の大部分が上方にある板２の下面の大部分と接するような形状とするのが望ましい。両面が平坦な通常のダンボール等を使用して簡易トイレ用便座１を製造すれば、板２はこのような形状となり、積み重ね可能なものとなる。一方、例えば、板２の下面に凸部を形成した場合には、上面にこれに対応する凹部を形成しなければ、積み重ね可能なものとはならない。
【００１８】
板２の下面には、必要に応じて、例えばポリバケツの口と接触する部分にゴム板を貼るなどして、滑り止めとすることができる。また、板２の上面には、簡易トイレ用便座１の使用者の使用感を向上させること等を目的として、発泡スチロール等を貼り付けることができる。
【００１９】
図２に、本考案による簡易トイレ用便座１及びポリバケツ１０を使用して構築できる簡易トイレ２０の斜視図を示す。必要により、ポリバケツ１０に、防災倉庫内に通常備えられているようなプラスチック製のゴミ袋を被せて使用してもよい。
【図面の簡単な説明】
【００２０】
【図１】本考案による簡易トイレ用便座の平面図である。
【図２】本考案による簡易トイレ用便座の使用態様を示す斜視図である。
【符号の説明】
【００２１】
１  簡易トイレ用便座
２  板
３  長孔
４ａ，４ｂ  板の側部
５ａ  長孔の一端側
５ｂ  長孔の他端側
Ｌ  長孔の軸線
１０  ポリバケツ
２０  簡易トイレ
【図１】
0003133390.tif 000003
【図２】
0003133390.tif 000004
【手続補正書】
【提出日】平成19年5月9日(2007.5.9)
【手続補正１】
【補正対象書類名】明細書
【補正対象項目名】０００７
【補正方法】変更
【補正の内容】
【０００７】
上記課題を解決するにあたり、本考案者は、鋭意工夫した結果、防災倉庫内には通常、ポリバケツ（登録商標）や、ビニールなどのプラスチック製のゴミ袋などが備えられていることに着目し、これらと併用することによって容易に安全かつ快適に使用することのできる簡易トイレを組み立てることができ、しかも収納にスペースを要しないものとして、中央に設けられた長孔と、先細りするように切り欠かれた両側部とを有する板からなる簡易トイレ用便座を採用することに思い至った。
【手続補正２】
【補正対象書類名】明細書
【補正対象項目名】００１２
【補正方法】変更
【補正の内容】
【００１２】
本考案によれば、簡易トイレ用便座を板からなるものとしているため、スペースを取ることなく防災倉庫内に収納することができ、しかも必要によりゴミ袋を被せたポリバケツ（登録商標）に載せるだけで、極めて容易に簡易トイレを形成することができる。
また、本考案による簡易トイレ用便座は、その両側部が先細りするように切り欠かれているため、簡易トイレを使用する際に、切り欠かれた両側部に使用者の両足が当たるように便座に腰かければ、楽な姿勢で使用することができ、しかもポリバケツ（登録商標）に載せた便座の安定性を担保することができる。
【手続補正３】
【補正対象書類名】明細書
【補正対象項目名】００１６
【補正方法】変更
【補正の内容】
【００１６】
板２の側部は、長孔３の軸線Ｌ方向の一端側５ａに位置する両側部４ａ，４ｂを、両側部４ａ，４ｂの各々に、簡易トイレ用便座１に腰かけた使用者の右左それぞれの足が当たるように、一端側５ａに向かって先細りするように切り欠く。本考案による簡易トイレ用便座１をポリバケツ（登録商標）等に載せて使用する際の安定性の観点からは、切り欠いた両側部４ａ，４ｂを含む板２の外周と長孔３との間に規定される面の大部分が、簡易トイレ用便座１をポリバケツ（登録商標）等に載せた際にポリバケツ（登録商標）の口と重なることができるようにするのが望ましい。
【手続補正４】
【補正対象書類名】明細書
【補正対象項目名】００１８
【補正方法】変更
【補正の内容】
【００１８】
板２の下面には、必要に応じて、例えばポリバケツ（登録商標）の口と接触する部分にゴム板を貼るなどして、滑り止めとすることができる。また、板２の上面には、簡易トイレ用便座１の使用者の使用感を向上させること等を目的として、発泡スチロール等を貼り付けることができる。
【手続補正５】
【補正対象書類名】明細書
【補正対象項目名】００１９
【補正方法】変更
【補正の内容】
【００１９】
図２に、本考案による簡易トイレ用便座１及びポリバケツ（登録商標）１０を使用して構築できる簡易トイレ２０の斜視図を示す。必要により、ポリバケツ（登録商標）１０に、防災倉庫内に通常備えられているようなプラスチック製のゴミ袋を被せて使用してもよい。
【手続補正６】
【補正対象書類名】明細書
【補正対象項目名】００２１
【補正方法】変更
【補正の内容】
【００２１】
１  簡易トイレ用便座
２  板
３  長孔
４ａ，４ｂ  板の側部
５ａ  長孔の一端側
５ｂ  長孔の他端側
Ｌ  長孔の軸線
１０  ポリバケツ（登録商標）
２０  簡易トイレ